(57)【特許請求の範囲】
【請求項１】
入力電力配線を介して電源に接続されるとともに出力電力配線を介して照明器具に接続される照明制御装置であって、
接地端と、
前記入力電力配線に接続され、前記照明器具の避雷用回路よりも作動電圧が低い避雷用の雷サージ回路と、
前記雷サージ回路と前記接地端との間の接続を開放又は閉成し、耐電圧試験電圧によっては絶縁破壊されないスイッチ回路と、
前記雷サージ回路と前記出力電力配線の間に接続され、前記照明器具を監視又は制御する制御回路と
を備え、
前記制御回路が、遠隔操作信号を受信するリモコン受信部、及び受信された前記遠隔操作信号に応じて前記スイッチ回路を開放又は閉成させるスイッチ制御部を含む、照明制御装置。
【請求項２】
入力電力配線を介して電源に接続されるとともに出力電力配線を介して照明器具に接続される照明制御装置であって、
接地端と、
前記入力電力配線に接続され、前記照明器具の避雷用回路よりも作動電圧が低い避雷用の雷サージ回路と、
前記雷サージ回路と前記接地端との間の接続を開放又は閉成し、耐電圧試験電圧によっては絶縁破壊されないスイッチ回路と、
前記雷サージ回路と前記出力電力配線の間に接続され、前記照明器具を監視又は制御する制御回路と
を備え、
前記制御回路が、照明制御用の信号及び前記スイッチ回路の開閉制御用の信号を外部制御信号として受信可能な通信部、及び受信された前記外部制御信号が前記開閉制御用の信号である場合に前記外部制御信号に応じて前記スイッチ回路を開放又は閉成させるスイッチ制御部を含む、照明制御装置。
【請求項３】
入力電力配線を介して電源に接続されるとともに出力電力配線を介して照明器具に接続される照明制御装置であって、
接地端と、
前記入力電力配線に接続され、前記照明器具の避雷用回路よりも作動電圧が低い避雷用の雷サージ回路と、
前記雷サージ回路と前記接地端との間の接続を開放又は閉成し、耐電圧試験電圧によっては絶縁破壊されないスイッチ回路と、
前記雷サージ回路と前記出力電力配線の間に接続され、前記照明器具を監視又は制御する制御回路と
を備え、
前記制御回路が、前記入力電力配線からの入力電圧を検出する入力電圧検出部、検出される前記入力電圧の発生及び消滅のタイミングが所定のパターンに合致する場合に開閉指令を出力するタイミング判定部、及び前記開閉指令に応じて前記スイッチ回路を開放又は閉成させるスイッチ制御部を含む、照明制御装置。
【請求項４】
前記耐電圧試験電圧が交流１５００Ｖ又は交流１８００Ｖである請求項１から３のいずれか一項に記載の照明制御装置。
【請求項５】
請求項１から４のいずれか一項に記載の照明制御装置と、前記照明器具とを備えた屋外灯。
【発明の詳細な説明】
【技術分野】
【０００１】
本発明は、照明制御装置及びそれを用いた屋外灯に関する。
【背景技術】
【０００２】
特許文献１は、道路灯に使用されるＬＥＤ光源用点灯装置を開示する。このＬＥＤ光源用点灯装置では、商用電源とＬＥＤ制御電源の間にサージアブソーバ等で構成された雷サージ保護装置が挿入される。落雷により、サージアブソーバの設定値を超えるエネルギーが雷サージ保護装置に印加された場合には、サージアブソーバが短絡し、同雷サージ保護装置内のヒューズが溶断する。これにより、雷サージ保護装置の後段に接続されたＬＥＤ制御電源の故障が防止される。
【先行技術文献】
【特許文献】
【０００３】
【特許文献１】特開２０１３−０３１３５０号公報
【発明の概要】
【発明が解決しようとする課題】
【０００４】
ところで、屋外灯においては、光源の点灯回路が含まれる照明器具の前段、すなわち照明器具とその電源との間に別途の照明制御装置が挿入接続される場合がある。このような屋外灯においては、照明制御装置及び照明器具の双方に避雷用の雷サージ回路を実装する必要がある。
【０００５】
ここで、照明制御装置からみて電源側に雷サージが発生した場合に、照明制御装置の雷サージ回路が照明器具の雷サージ回路よりも先に作動すれば、雷サージ電流が照明制御装置内を通過せず、照明制御装置及び照明器具とも故障することはない。一方、照明制御装置からみて電源側に雷サージが発生し、照明器具の雷サージ回路が照明制御装置の雷サージ回路よりも先に作動した場合、雷サージ電流が照明制御装置内を通過することになり、照明制御装置が故障する可能性がある。したがって、照明制御装置の雷サージ回路が照明器具の雷サージ回路よりも作動し易く設定されること、すなわち、照明制御装置の雷サージ回路の作動電圧が照明器具の雷サージ回路の作動電圧よりも低いことが望ましい。一方で、照明制御装置及び照明器具は、出荷前に耐電圧試験及び絶縁抵抗試験を合格する必要がある。したがって、照明制御装置の雷サージ回路の作動電圧を低くするにあたり、そのインピーダンスを低下させると、上記の耐電圧試験及び絶縁抵抗試験が不合格となる可能性が生じる。この雷サージ対策と耐電圧及び絶縁抵抗試験対策との両立が難しいという問題は、電源と既存の照明器具との間に照明制御装置が挿入接続される状況を考慮して、照明制御装置側で対策されることが望ましい。
【０００６】
そこで、本発明は、電源と照明器具間の電力配線上に挿入接続される照明制御装置において、その雷サージ回路を照明器具の雷サージ回路よりも先に作動させることができ、かつ耐電圧試験及び絶縁抵抗試験を合格できる構成を提供することを課題とする。
【課題を解決するための手段】
【０００７】
本発明の、入力電力配線を介して電源に接続されるとともに出力電力配線を介して照明器具に接続される照明制御装置は、接地端と、入力電力配線に接続され、照明器具の避雷用回路よりも作動電圧が低い避雷用の雷サージ回路と、雷サージ回路と接地端との間の接続を開放又は閉成し、耐電圧試験電圧によっては絶縁破壊されないスイッチ回路と、雷サージ回路と出力電力配線の間に接続され、照明器具を監視又は制御する制御回路を備える。
【０００８】
上記照明制御装置によると、雷サージ回路において、スイッチ回路が閉成された場合に雷サージ回路の作動電圧が照明器具の避雷用回路の作動電圧よりも低くなり、スイッチ回路が開放された場合に接地端に対する雷サージ回路の絶縁状態が維持される。これにより、電源と照明器具間の電力配線上に挿入接続される照明制御装置において、使用時にはスイッチ回路を閉成して照明制御装置の雷サージ回路を照明器具の雷サージ回路よりも先に作動させることができ、かつ出荷前にはスイッチ回路を開放して耐電圧試験及び絶縁抵抗試験を合格させることができる。なお、上記の耐電圧試験電圧は、例えば、交流１５００Ｖ又は交流１８００Ｖである。
【０００９】
第１の形態の照明制御装置では、スイッチ回路が機械的スイッチからなる。このようにスイッチ回路を機械的スイッチで構成することにより、簡素な制御構成の照明制御装置が実現される。
【００１０】
第２の形態の照明制御装置では、制御回路が、遠隔操作信号を受信するリモコン受信部、及び遠隔操作信号に応じてスイッチ回路を開放又は閉成させるスイッチ制御部を有する。このように、スイッチ回路の開閉をリモコン操作可能としたことにより、照明制御装置の設置作業性が向上する。
【００１１】
第３の形態の照明制御装置では、制御回路が、照明制御用の信号及びスイッチ回路の開閉制御用の信号を外部制御信号として受信可能な通信部、及び受信された外部制御信号が開閉制御用の信号である場合に外部制御信号に応じてスイッチ回路を開放又は閉成させるスイッチ制御部を有する。このように、スイッチ回路の開閉を照明制御用の信号と同じ形式の外部制御信号で制御可能としたことにより、簡素な通信構成の照明制御装置が実現される。
【００１２】
第４の形態の照明制御装置は、制御回路が、入力電力配線からの入力電圧を検出する入力電圧検出部、検出される入力電圧の発生及び消滅のタイミングが所定のパターンに合致する場合に開閉指令を出力するタイミング判定部、及び開閉指令に応じてスイッチ回路を開放又は閉成させるスイッチ制御部を有する。このように、電源からの入力電圧のオン／オフのタイミングによってスイッチ回路を開閉可能としたことによって新たな通信構成を追加することなく本発明が適用可能となり、照明制御装置の導入容易性が高まる。
【００１３】
本発明の屋外灯は、上記いずれかの照明制御装置と、照明器具とを備える。上記のように適切な雷サージ対策がなされ、かつ耐電圧試験及び絶縁抵抗試験を合格できる照明制御装置を用いることによって信頼性の高い屋外灯が実現される。
【図面の簡単な説明】
【００１４】
【図１】本発明の各実施形態による照明制御装置及びそれを用いた屋外灯の基本構成図である。
【図２】本発明の第１の実施形態による照明制御装置の詳細を示す図である。
【図３】本発明の第２の実施形態による照明制御装置の詳細を示す図である。
【図４】本発明の第３の実施形態による照明制御装置の詳細を示す図である。
【図５】本発明の第４の実施形態による照明制御装置の詳細を示す図である。
【図６】本発明の一変形例によるスイッチ回路及び雷サージ回路を示す図である。
【図７】本発明の他の変形例によるスイッチ回路及び雷サージ回路を示す図である。
【発明を実施するための形態】
【００１５】
＜基本構成＞
図１に、本発明の各実施形態による照明制御装置１及びそれを用いた屋外灯３の基本構成を示す。屋外灯３は、例えば、街路灯、道路灯、屋外運動施設の照明灯等である。屋外灯３は、電源４から入力電力配線Ｌ１及びＬ２（以下、「電力配線Ｌ１及びＬ２」ともいう）を介して給電される照明制御装置１並びに照明制御装置１から出力電力配線Ｌ３及びＬ４（以下、「電力配線Ｌ３及びＬ４」ともいう）を介して給電される照明器具２を有する。正常使用時（雷サージ発生時以外）において、入力電力配線Ｌ１と出力電力配線Ｌ３とが実質的に同電位であり、入力電力配線Ｌ２と出力電力配線Ｌ４とが実質的に同電位であるものとする。照明制御装置１はアース配線Ｅ１を介して接地され、照明器具２はアース配線Ｅ２を介して接地される。アース配線Ｅ１及びＥ２の終端の接地点の電位は実質的に同じであればよい。
【００１６】
照明制御装置１は、親機５と無線通信するとともに、照明器具２と信号線Ｌｓを介して有線通信する。照明制御装置１は、親機５から外部制御信号Ｓ０を受信し、外部制御信号Ｓ０に応じた照明制御信号Ｓ１を生成し、照明制御信号Ｓ１に基づいて信号線Ｌｓを介して照明器具２の点灯状態を制御する。あるいは、屋外灯３の周囲（例えば上空）の照度を検出する照度センサ６が屋外灯３に設けられ、照明制御装置１が、照度センサ６によって検出される照度値に基づいて照明制御信号Ｓ１を生成する構成としてもよい。照明制御装置１は、電力配線Ｌ１〜Ｌ４の通電状態を監視することによって照明器具２の点灯状態（点灯／不点の別、消費電力等）を示すモニタ信号Ｓ２を生成し、モニタ信号Ｓ２を親機５に送信する。なお、１つの照明制御装置１に対して複数の照明器具２が並列接続されてもよい。
【００１７】
以降の各実施形態において、照明制御装置１をそれぞれ照明制御装置１Ａ〜１Ｄともいう。また、以降の各実施形態において、実質的に同様の構成には同様の符号を付し、重複する詳細説明を省略する。
【００１８】
＜第１の実施形態＞
図２に、第１の実施形態による照明制御装置１Ａ及び照明器具２の詳細を示す。
照明制御装置１Ａは、接地端１０、雷サージ回路２０、スイッチ回路３０、制御回路４０及びリレー回路５０を備える。電力配線Ｌ１及びＬ２が照明制御装置１Ａの入力端子Ｔ１及びＴ２にそれぞれ接続され、電力配線Ｌ３及びＬ４が照明制御装置１Ａの出力端子Ｔ３及びＴ４にそれぞれ接続されるとともに照明器具２の入力端子Ｔ５及びＴ６にそれぞれ接続される。接地端１０はアース配線Ｅ１を介して接地される。雷サージ回路２０が電力配線Ｌ１及びＬ２とスイッチ回路３０との間に接続され、スイッチ回路３０が接地端１０に接続される。制御回路４０は、電力配線Ｌ１及びＬ２と電力配線Ｌ３及びＬ４の間に接続され、電力配線Ｌ３及びＬ４上にリレー回路５０が接続される。以降の説明において、電力配線Ｌ１及びＬ２は、入力端子Ｔ１及びＴ２の前段（すなわち、電源４側）の配線、並びに入力端子Ｔ１及びＴ２から制御回路４０までの配線を含むものとする。また、電力配線Ｌ３及びＬ４は、制御回路４０から出力端子Ｔ３及びＴ４との間の配線、出力端子Ｔ３及びＴ４と入力端子Ｔ５及びＴ６の間の配線、並びに入力端子Ｔ５及びＴ６から後述の点灯回路１４０までの間の配線を含むものとする。
【００１９】
接地端１０は、アース配線Ｅ１に電気的に接続されたノードであればよく、例えば、アース配線Ｅ１を照明制御装置１Ａに接続するための端子であってもよい。
【００２０】
雷サージ回路２０は避雷用回路であり、バリスタ２１及び２２並びにアレスタ２３（放電型サージアブソーバ）のＹ型回路を備える。具体的には、バリスタ２１の一端が電力配線Ｌ１に接続され、バリスタ２２の一端が電力配線Ｌ２に接続され、バリスタ２１及び２２の他端にアレスタ２３の一端が接続され、アレスタ２３の他端がスイッチ回路３０に接続される。これにより、スイッチ回路３０が閉成された場合に電力配線Ｌ１及びＬ２と接地端１０との間に上記Ｙ型回路が形成される。必要に応じてバリスタ２４が電力配線Ｌ１−Ｌ２間に接続されてもよい。また更に、雷サージ回路２０の前段において電力配線Ｌ１及びＬ２上に不図示の電流ヒューズが接続される。なお、バリスタ２１及び２２又はバリスタ２４の代わりに、サージ吸収素子として、コンデンサ、抵抗又はこれらの組合せが採用されてもよい。また、アレスタ２３の代わりに、サージ吸収素子として、バリスタ、コンデンサ、抵抗、アバランシェダイオード又はこれらの組合せが採用されてもよい。雷サージ回路２０の詳細については後述する。
【００２１】
スイッチ回路３０は、本実施形態ではトグルスイッチ、マグネットスイッチ等の機械的スイッチからなり、照明制御装置１Ａを扱う作業者によって出荷前、設置時等に手動で開閉される。スイッチ回路３０としてトグルスイッチが採用される場合、そのレバーが照明制御装置１Ａの筐体外部に配置されるため、スイッチ回路３０のレバー位置すなわち開閉状態の視認が容易となる。一方、スイッチ回路３０としてマグネットスイッチが採用される場合、スイッチ全体が照明制御装置１Ａの筐体内部に収容されるため、照明制御装置１Ａの防水性、防塵性等が向上する。
【００２２】
制御回路４０は、通信部４０１、監視計測部４０２、照明制御部４０３、信号出力部４０４及び記憶部４０５を含み、これらは図示又は不図示のバスによって相互に信号及びデータのやりとりが可能な態様で接続されている。制御回路４０は、照明器具２を監視計測部４０２等によって監視するとともに、照明器具２を照明制御部４０３等によって制御する。なお、記憶部４０５は、データ及びプログラムを記憶するＲＯＭ、ＲＡＭ等のメモリである。また、制御回路４０の制御電源は、電力配線Ｌ１及びＬ２に接続された不図示の定電圧回路又は不図示のバッテリ等から適宜給電されるものとする。
【００２３】
通信部４０１は受信部及び送信部を有し、親機５と無線で通信する。この無線通信は、例えば、特定小電力無線等の汎用的な通信方式によって行われる。通信部４０１は、監視計測部４０２から出力されるモニタデータに基づくモニタ信号Ｓ２を親機５に送信する。また、通信部４０１は、親機５から外部制御信号Ｓ０を受信し、受信した外部制御信号Ｓ０に基づく制御データを照明制御部４０３に入力するようにしてもよい。
【００２４】
監視計測部４０２は、電力配線Ｌ１−Ｌ３（又はＬ２−Ｌ４）に流れる電流及び電力配線Ｌ３−Ｌ４間の電圧を測定し、例えば、測定された電流と電圧の乗算値から照明器具２における消費電力を計測する。監視計測部４０２は、計測した消費電力の情報を含むモニタデータを通信部４０１に出力する。なお、モニタデータは、照明器具２の点灯又は不点の情報、照明器具２における消費電力値の情報、又はこれらを組み合わせた情報であればよい。また、１つの親機５が複数の照明制御装置と通信する設定上、モニタデータには照明制御装置１Ａ又は屋外灯３の識別情報が含まれる。上述したように、このモニタデータに基づくモニタ信号Ｓ２が通信部４０１から親機５に送信され、屋外灯３の管理者は親機５の適宜の出力手段によって照明器具２の点灯状態を把握することができる。
【００２５】
照明制御部４０３はＣＰＵを構成し、照度センサ６から入力される照度データ又は通信部４０１から入力される制御データに基づいて、照明器具２の点灯制御を行うための照明制御信号Ｓ１を生成する。照明制御信号Ｓ１は、リレー回路５０の開閉を行うための駆動信号Ｓ１ｒ及び／又は信号線Ｌｓを介して照明器具２（点灯回路１４０）の出力制御を行うための調光信号Ｓ１ｄを含む。
【００２６】
照明制御信号Ｓ１が照度データに基づいて生成される場合、例えば、照度データ（照度値）が第１の閾値未満である場合には、ハイ出力の駆動信号Ｓ１ｒが生成されてリレー回路５０がオンされ、調光率１００％に対応する調光信号Ｓ１ｄが生成される。照度データが第１の閾値以上でかつ第２の閾値未満である場合には、ハイ出力の駆動信号Ｓ１ｒ及び所定調光率を示す調光信号Ｓ１ｄが生成される。より具体的には、調光信号Ｓ１ｄは、調光率に対してデューティ比が増加又は減少するＰＷＭ信号であってもよいし、調光率に対して電圧値が増加又は減少するＤＣ信号であってもよい。照度データが第２の閾値以上である場合には、ロー出力の駆動信号Ｓ１ｒが生成されてリレー回路５０がオフされ、照明器具２が消灯される。なお、上記では、点灯状態として、全光点灯及び消灯以外に１段階の調光点灯が設けられる構成を示したが、調光点灯はなくてもよいし、２段階以上の調光点灯が設けられてもよい。
【００２７】
照明制御信号Ｓ１が制御データに基づいて生成される場合、例えば、外部制御信号Ｓ０が点灯指令を示す場合にはハイ出力の駆動信号Ｓ１ｒが生成されてリレー回路５０がオンされ、調光率１００％に対応する調光信号Ｓ１ｄが生成される。制御データが調光指令を示す場合には、ハイ出力の駆動信号Ｓ１ｒ及び調光指令に応じた調光率を示す調光信号Ｓ１ｄが生成される。制御データが消灯指令を示す場合にはロー出力の駆動信号Ｓ１ｒが生成されてリレー回路５０がオフされる。
【００２８】
なお、リレー回路５０がない場合又は常時オンされている場合で、かつ照度データ又は制御データが消灯を示す場合には、駆動信号Ｓ１ｒは出力されず、調光信号Ｓ１ｄが照明器具２（点灯回路１４０）の出力動作を停止させるための信号であればよい。逆に、照明制御信号Ｓ１が点灯指令及び消灯指令のみの場合（すなわち、調光を行わない場合）には、信号出力部４０４、信号線Ｌｓ及び信号入力部１４５を省略して、駆動信号Ｓ１ｒによるリレー回路５０の制御のみが行われるようにしてもよい。
【００２９】
信号出力部４０４は、照明制御部４０３が生成した調光信号Ｓ１ｄを有線の信号線Ｌｓを介して照明器具２の信号入力部１４５に送信する。なお、信号出力部４０４に入力機能を持たせるとともに信号入力部１４５に出力機能を持たせて信号線Ｌｓ上で双方向通信が行われるようにしてもよい。例えば、複数の照明器具２が並列接続される場合に、調光信号Ｓ１ｄを受信した照明器具２からその照明器具２の識別情報及び肯定応答を制御回路４０に返すようにしてもよい。これにより、制御回路４０から親機５に送信されるモニタ信号Ｓ２に、いずれの照明器具２が点灯又は不点であるのか等の情報を付加することができ、監視内容を高度化することができる。また、信号線Ｌｓは無線通信線であってもよく、この場合、調光信号Ｓ１ｄは電波、赤外線、可視光等によって無線通信されるものであればよい。
【００３０】
リレー回路５０は、電力配線Ｌ３及びＬ４に挿入接続された２極単投型のリレースイッチであり、照明制御部４０３からの駆動信号Ｓ１ｒによって開閉される。なお、リレー回路５０は、照明制御装置１Ａの外部にあってもよいし、上述したように省略されてもよい。
【００３１】
照明器具２は、接地端１１０、雷サージ回路１２０、点灯回路１４０、信号入力部１４５及び光源１５０を備える。接地端１１０は、例えば照明器具２の金属筐体の一部等からなる接地点であればよく、アース配線Ｅ２を介して接地される。
【００３２】
雷サージ回路１２０は避雷用回路であり、例えば、バリスタ１２１及び１２２並びにアレスタ１２３（放電型サージアブソーバ）のＹ型回路を備える。具体的には、バリスタ１２１の一端が電力配線Ｌ３に接続され、バリスタ１２２の一端が電力配線Ｌ４に接続され、バリスタ１２１及び１２２の他端にアレスタ１２３の一端が接続され、アレスタ１２３の他端が接地端１１０に接続される。これにより、電力配線Ｌ３及びＬ４と接地端１１０との間に上記Ｙ型回路が形成される。必要に応じてバリスタ１２４が電力配線Ｌ３−Ｌ４間に接続されてもよい。また更に、雷サージ回路１２０の前段において電力配線Ｌ３及びＬ４上に不図示の電流ヒューズが接続される。雷サージ回路２０と同様に、バリスタ１２１及び１２２又はバリスタ１２４の代わりに、サージ吸収素子として、コンデンサ、抵抗又はこれらの組合せが採用されてもよい。また、アレスタ１２３の代わりに、サージ吸収素子として、バリスタ、コンデンサ、抵抗、アバランシェダイオード又はこれらの組合せが採用されてもよい。
【００３３】
点灯回路１４０は、電力配線Ｌ３及びＬ４から給電される電圧を所定の波形及び値の電流に変換し、変換された電流を光源１５０に供給する。例えば、光源１５０がＬＥＤである場合には、点灯回路１４０は、入力交流電圧を整流する整流回路及びその整流出力を所定の直流電流に変換するＤＣ／ＤＣコンバータを含む。また、光源１５０が放電灯である場合には、点灯回路１４０は、入力交流電圧を整流する整流回路及びその整流出力を所定の交流電流に変換するＤＣ／ＡＣコンバータを含むものであってもよいし、銅鉄コイルからなる磁気式安定器であってもよい。
【００３４】
信号入力部１４５は、照明制御装置１Ａの信号出力部４０４から信号線Ｌｓを介して調光信号Ｓ１ｄを受信する。点灯回路１４０は、信号入力部１４５によって受信された調光信号Ｓ１ｄに応じて光源１５０を点灯、消灯又は調光する。
【００３５】
照明器具２の雷サージ回路１２０の設定について説明する。雷サージ回路１２０は、前述したように、バリスタ１２１及び１２２並びにアレスタ１２３のＹ型回路を含む。ここで、照明器具２は、その単体において耐電圧試験及び絶縁抵抗試験（ＪＩＳ Ｃ ８１０５−１参照）を合格する必要があるとともに、照明制御装置１Ａに接続された状態において電力配線Ｌ３及びＬ４に発生した雷サージ電流を適切に接地端１１０及びアース配線Ｅ２に誘導する必要がある。
【００３６】
この耐電圧試験及び絶縁抵抗試験並びに雷サージ対策においては、特に、アレスタ１２３の選定が重要となる。アレスタは、電極間電圧がその放電開始電圧を超えると作動、すなわち放電（絶縁破壊）するサージ吸収素子である。アレスタ１２３の放電開始電圧が所定値よりも低いと、耐電圧試験又は絶縁抵抗試験（特に耐電圧試験）においてアレスタ１２３が作動してしまい、規定の耐電圧又は絶縁抵抗を得ることができないことになる。一方、放電開始電圧が高すぎると、アレスタ１２３は雷サージに対して適切に作動せず、雷サージ回路としての機能が充分に発揮されない。そして、一般にアレスタの放電開始電圧は、公称値に対して通常は±２０％程度のばらつきがある。したがって、放電開始電圧のばらつきを考慮した上で、規定の耐電圧又は絶縁抵抗を得られる範囲で最小の放電開始電圧を有するアレスタが選定されることが望ましい。
【００３７】
具体的には、耐電圧試験は、照明器具２の単体において、入力端子Ｔ５−Ｔ６間が短絡された状態で、入力端子Ｔ５−Ｔ６と接地端１１０との間に交流１５００Ｖを１分間印加することによって行われ、絶縁破壊が生じない場合に同試験の合格となる。したがって、耐電圧試験を合格するためには、アレスタ１２３の放電開始電圧のばらつき下限値がＡＣ１５００Ｖのピーク値（すなわち、１５００Ｖ×√２≒２１２１Ｖ）を超える必要がある。また更に、耐電圧試験工程を短縮するために、短絡された入力端子Ｔ５−Ｔ６と接地端１１０との間に交流１８００Ｖを１秒間印加することによって行われる場合もある。したがって、この耐電圧試験を合格するためには、アレスタ１２３の放電開始電圧のばらつき下限値がＡＣ１８００Ｖのピーク値（すなわち、１８００Ｖ×√２≒２５４５Ｖ）を超える必要がある。そして、雷サージ対策の機能を担保するために、上記範囲で最小の放電開始電圧を有するアレスタが選定されることが望ましい。上記観点から、例えば、アレスタ１２３として、放電開始電圧が３６００Ｖ±２０％（２８８０Ｖ〜４３２０Ｖ）のものが選定される。
【００３８】
なお、絶縁抵抗試験においては、照明器具２の単体において、入力端子Ｔ５−Ｔ６間が短絡された状態で、入力端子Ｔ５−Ｔ６と接地端１１０との間に直流５００Ｖを印加した場合に、その間の抵抗値が１０ＭΩ以上、好ましくは１００ＭΩ以上であれば合格となる。ここで、放電開始電圧が３６００Ｖ±２０％の上記アレスタがアレスタ１２３として採用される場合、電力配線Ｌ３及びＬ４と接地端１１０との間に直流５００Ｖが印加されても絶縁破壊は起こらず（すなわち、その間の抵抗値は実質的に無限大となり）、照明器具２は絶縁抵抗試験を合格することができる。
【００３９】
次に、照明制御装置１Ａの雷サージ回路２０の設定について説明する。雷サージ回路２０は、前述したように、バリスタ２１及び２２並びにアレスタ２３のＹ型回路を含む。ここで、照明器具２の場合と同様に、照明制御装置１Ａは、その単体において耐電圧試験及び絶縁抵抗試験（ＪＩＳ  Ｃ０７０４参照）を合格する必要があるとともに、照明器具２に接続された状態において電力配線Ｌ１又はＬ２に発生した雷サージ電流を適切に接地端１０及びアース配線Ｅ１に誘導する必要がある。照明制御装置１Ａの耐電圧試験も、入力端子Ｔ１−Ｔ２間が短絡された状態で、入力端子Ｔ１−Ｔ２と接地端１０との間に交流１５００Ｖを１分間印加することによって、又は入力端子Ｔ１−Ｔ２と接地端１０との間に交流１８００Ｖを１秒間印加することによって行われ、絶縁破壊が生じない場合に同試験の合格となる。照明制御装置１Ａの絶縁抵抗試験も、その単体において、入力端子Ｔ１−Ｔ２間が短絡された状態で、入力端子Ｔ１−Ｔ２と接地端１０との間に直流５００Ｖを印加した場合にその間の抵抗値が１０ＭΩ以上、好ましくは１００ＭΩ以上であれば合格となる。
【００４０】
ここで、仮にスイッチ回路３０がないとした場合（すなわち、アレスタ２３が接地端１０に短絡されていたとした場合）であって、かつ照明器具２の雷サージ回路１２０と同様に放電開始電圧が３６００Ｖ±２０％のアレスタがアレスタ２３に採用された場合を想定する。この場合、アレスタのばらつきのために、アレスタ２３の放電開始電圧がアレスタ１２３の放電開始電圧よりも高くなる可能性がある。この場合、電力配線Ｌ１又はＬ２に発生した雷サージ電流はアレスタ１２３の作動によって接地端１１０に誘導される。すなわち、この場合の雷サージ電流は、電力配線Ｌ１／Ｌ２→制御回路４０（監視計測部４０２）→リレー回路５０→電力配線Ｌ３／Ｌ４→バリスタ１２１／１２２→アレスタ１２３→接地端１１０→アース配線Ｅ２のように誘導される。このように、雷サージに伴う大電流が監視計測部４０２を貫通することにより、監視計測部４０２及びそれを含む制御回路４０が故障してしまう。一方、これを防止するために、アレスタ２３として、例えば放電開始電圧が３０００Ｖ±２０％のアレスタが採用された場合、放電開始電圧のばらつき下限値が２４００Ｖとなり、耐電圧試験の印加電圧である交流１８００Ｖのピーク電圧（２５４５Ｖ）以下となり、耐電圧試験が不合格となり得る。
【００４１】
そこで、本実施形態では、アレスタ２３として放電開始電圧が３０００Ｖ±２０％のものが採用された上で、アレスタ２３と接地端１０との間がスイッチ回路３０によって開閉可能に構成される。照明制御装置１Ａの出荷前、すなわち耐電圧試験及び絶縁抵抗試験においてはスイッチ回路３０が開放される。これにより、電力配線Ｌ１及びＬ２と接地端１０との間の絶縁破壊に要する電圧は理論的には無限大となり、少なくとも耐電圧試験電圧である交流１５００Ｖ又は交流１８００Ｖのピーク値を超える。なお、スイッチ回路３０は、その両端に、上記の耐電圧試験電圧（交流１５００Ｖ又は交流１８００Ｖ）が印加された場合でも絶縁破壊されない部品であるものとする。この場合、電力配線Ｌ１及びＬ２と接地端１０との間に直流５００Ｖが印加されてもスイッチ回路３０の絶縁破壊は起こらず（すなわち、その間の抵抗値は実質的に無限大となり）、照明制御装置１Ａは絶縁抵抗試験も合格することができる。
【００４２】
一方、照明制御装置１Ａの使用中、すなわち雷サージが発生し得る状況においては、スイッチ回路３０が閉成される。これにより、照明制御装置１Ａと照明器具２が接続された状態において、電力配線Ｌ１又はＬ２に雷サージが発生した場合に、アレスタ２３（放電開始電圧：３０００Ｖ）がアレスタ１２３（放電開始電圧：３６００Ｖ）よりも先に作動することになる。したがって、電力配線Ｌ１又はＬ２に発生した雷サージは、電力配線Ｌ１／Ｌ２→バリスタ２１／２２→アレスタ２３→閉成されたスイッチ回路３０→接地端１０→アース配線Ｅ１に誘導されることになり、雷サージに起因する大電流が制御回路４０（監視計測部４０２）を貫通することが防止される。
【００４３】
なお、上記の例においては、アレスタ２３の放電開始電圧のばらつきの高い側の範囲がアレスタ１２３の放電開始電圧ばらつきの低い方の範囲よりも高くなる可能性があるものの、高い確率において、アレスタ２３の放電開始電圧はアレスタ１２３の放電開始電圧よりも高くなる。また、アレスタ２３の放電開始電圧のばらつきの上限値がアレスタ１２３の放電開始電圧ばらつきの下限値以上となるように、アレスタ２３として放電開始電圧が２４００Ｖ±２０％（１９２０Ｖ〜２８８０Ｖ）のものが採用されてもよい。
【００４４】
上述したように、照明制御装置１Ａの出荷前の耐電圧試験及び絶縁抵抗試験においては、作業者の操作又はデフォルトの設定によってスイッチ回路３０は開放されて雷サージ回路２０が接地端１０から切り離される。その後、照明制御装置１Ａの出荷時（出荷前）、設置時等に、作業者の操作によってスイッチ回路３０が閉成されて雷サージ回路２０が接地端１０に接続される。したがって、照明制御装置１Ａは、耐電圧試験及び絶縁抵抗試験を合格することができるとともに、照明器具２に接続された使用時において電力配線Ｌ１又はＬ２に発生し得る雷サージ電流を適切に接地端１０及びアース配線Ｅ１に誘導することができる。
【００４５】
以上のように、照明制御装置１Ａは、接地端１０と、照明器具２の雷サージ回路１２０よりも作動電圧が低い避雷用の雷サージ回路２０と、雷サージ回路２０と接地端１０との間の接続を開放又は閉成し、耐電圧試験電圧によっては絶縁破壊されないスイッチ回路３０と、雷サージ回路２０の後段の制御回路４０を備える。このように、スイッチ回路３０が閉成された場合に雷サージ回路２０の作動電圧が照明器具２の雷サージ回路１２０の作動電圧よりも低くなる一方、スイッチ回路３０が開放された場合に接地端１０に対する雷サージ回路２０の絶縁状態が維持される。これにより、電源４と照明器具２（特に既存の照明器具２）との間の電力配線Ｌ１〜Ｌ４上に挿入接続される照明制御装置１Ａにおいて、使用時にはスイッチ回路３０を閉成して雷サージ回路２０を照明器具２の雷サージ回路１２０よりも先に作動させることができ、かつ出荷前にはスイッチ回路３０を開放して耐電圧試験及び絶縁抵抗試験を合格させることができる。そして、上記のように適切な雷サージ対策がなされ、かつ耐電圧試験及び絶縁抵抗試験を合格できる照明制御装置１Ａを用いることによって信頼性の高い屋外灯３が実現される。特に、本実施形態では、スイッチ回路３０が機械的スイッチからなるので、簡素な制御構成の照明制御装置が実現される。
【００４６】
＜第２の実施形態＞
上記第１の実施形態では、機械的スイッチからなるスイッチ回路が直接操作される構成を示したが、本実施形態では、スイッチ回路がリモコンによって遠隔操作される構成を示す。
【００４７】
図３に、本実施形態の照明制御装置１Ｂ及び照明器具２の詳細を示す。照明制御装置１Ｂと照明制御装置１Ａとは、スイッチ回路及びそれを動作させるための構成が異なり、他の構成は同様である。照明制御装置１Ｂは、接地端１０、雷サージ回路２０、スイッチ回路３５、制御回路４１及びリレー回路５０を備える。雷サージ回路２０及び１２０の設定（アレスタ２３及び１２３の放電開始電圧）は第１の実施形態と同様であればよい。概略として、スイッチ回路３５の開閉はリモコン７から操作される。
【００４８】
スイッチ回路３５は、リレースイッチ等の電気的スイッチからなり、制御回路４１によってその開閉が制御される。スイッチ回路３５は、第１の実施形態と同様に、接地端１０と雷サージ回路２０（アレスタ２３）の間に接続される。なお、スイッチ回路３５は、スイッチ回路３０と同様に、その両端に、上記の耐電圧試験及び絶縁抵抗試験における試験電圧（交流１５００Ｖ若しくは交流１８００Ｖ又は直流５００Ｖ）が印加された場合でも絶縁破壊されない部品であるものとする。
【００４９】
制御回路４１は、通信部４０１、監視計測部４０２、照明制御部４０３、信号出力部４０４、記憶部４０５、リモコン受信部４１１及びスイッチ制御部４１２を含み、これらは図示又は不図示のバスによって相互に信号及びデータのやりとりが可能な態様で接続される。制御回路４１は、電力配線Ｌ１及びＬ２と電力配線Ｌ３及びＬ４との間に接続され、照明器具２を監視及び制御する。また、制御回路４１の制御電源は、電力配線Ｌ１及びＬ２に接続された不図示の定電圧回路又は不図示のバッテリ等から適宜給電されるものとする。
【００５０】
記憶部４０５は、データ及びプログラムを記憶するＲＯＭ、ＲＡＭ等のメモリである。記憶部４０５は不揮発性メモリを含み、スイッチ回路３５の開閉状態（以下、「スイッチ開閉状態」という）を記憶する。なお、記憶部４０５に記憶されるスイッチ開閉状態の初期設定は開状態であるものとする。
【００５１】
リモコン受信部４１１は、スイッチ回路３５を開閉制御するための遠隔操作信号Ｓ３をリモコン７から受信する。リモコン７とリモコン受信部４１１とは、遠隔操作信号Ｓ３を電波、赤外線、可視光等によって無線通信する。リモコン受信部４１１は、受信した遠隔操作信号Ｓ３を所定の電気信号に変換し、その電気信号をスイッチ制御部４１２に入力する。
【００５２】
スイッチ制御部４１２は、リモコン受信部４１１からの電気信号を処理する処理部、及び処理部の出力に応じてスイッチ回路３５を駆動する駆動部（すなわち、リレースイッチのコイルを通電する回路、以下同じ）を有する。上記処理部は、照明制御部４０３とともにＣＰＵの一部であってもよいし、ＣＰＵとは独立したアナログ回路であってもよい。スイッチ制御部４１２は、リモコン受信部４１１によって受信された遠隔操作信号Ｓ３に応じてスイッチ回路３５を開放又は閉成させる。スイッチ制御部４１２は、遠隔操作信号Ｓ３が入力される毎に（それまでのスイッチ開閉状態にかかわらず）スイッチ開閉状態を変更するようにしてもよいし、遠隔操作信号Ｓ３が入力されても、それが記憶部４０５に記憶されたスイッチ開閉状態を変更するための信号でない限りスイッチ開閉状態を維持するようにしてもよい。
【００５３】
第１の実施形態と同様に、照明制御装置１Ｂの出荷前の耐電圧試験及び絶縁抵抗試験においては、スイッチ回路３５が開放されて雷サージ回路２０が接地端１０から切り離される。その後、照明制御装置１Ａの設置時等に、作業者によるリモコン７の操作によってスイッチ回路３５が閉成されて雷サージ回路２０が接地端１０に接続される。したがって、照明制御装置１Ｂは耐電圧試験及び絶縁抵抗試験を合格することができるとともに、照明器具２に接続された使用時において電力配線Ｌ１又はＬ２に発生し得る雷サージ電流を適切に接地端１０及びアース配線Ｅ１に誘導することができる。
【００５４】
以上のように、照明制御装置１Ｂにおいても、照明制御装置１Ａと同様に雷サージ回路２０を照明器具２（特に既存の照明器具２）の雷サージ回路１２０よりも先に作動させることができ、かつ耐電圧試験及び絶縁抵抗試験を合格させることができる。そして、上記のように適切な雷サージ対策がなされ、かつ耐電圧試験及び絶縁抵抗試験を合格できる照明制御装置１Ｂを用いることによって信頼性の高い屋外灯３が実現される。特に、照明制御装置１Ｂの制御回路４１では、リモコン受信部４１１が遠隔操作信号Ｓ３を受信し、受スイッチ制御部４１２が受信遠隔操作信号Ｓ３に応じてスイッチ回路３５を開放又は閉成させる。このように、スイッチ回路３５の開閉をリモコン操作可能としたことにより、照明制御装置の設置作業性が向上する。
【００５５】
＜第３の実施形態＞
上記第２の実施形態では、リモコン７からの遠隔操作信号Ｓ３によってスイッチ回路３５が開閉される構成を示したが、本実施形態では親機５からの外部制御信号Ｓ０によってスイッチ回路３５が開閉される構成を示す。
【００５６】
図４に、本実施形態の照明制御装置１Ｃ及び照明器具２の詳細を示す。照明制御装置１Ｃと照明制御装置１Ｂとは、制御回路の構成が異なり、他の構成は同様である。照明制御装置１Ｃは、接地端１０、雷サージ回路２０、スイッチ回路３５、制御回路４２及びリレー回路５０を備える。雷サージ回路２０及び１２０の設定（アレスタ２３及び１２３の放電開始電圧）は第１の実施形態と同様であればよい。概略として、スイッチ回路３５の開閉は親機５から操作される。
【００５７】
制御回路４２は、通信部４０１、監視計測部４０２、照明制御部４０３、信号出力部４０４、記憶部４０５及びスイッチ制御部４１２を含み、これらは図示又は不図示のバスによって相互に信号及びデータのやりとりが可能な態様で接続される。制御回路４２は、電力配線Ｌ１及びＬ２と電力配線Ｌ３及びＬ４との間に接続され、照明器具２を監視及び制御する。また、制御回路４２の制御電源は、電力配線Ｌ１及びＬ２に接続された不図示の定電圧回路又は不図示のバッテリ等から適宜給電されるものとする。
【００５８】
本実施形態の通信部４０１は、外部制御信号Ｓ０として、照明制御用の信号及びスイッチ回路３５の開閉制御用の信号を受信することができる。言い換えると、開閉制御用の信号は、照明制御用の信号と同じ形式において通信される。スイッチ制御部４１２は、通信部４０１によって受信された外部制御信号Ｓ０が開閉制御用の信号である場合にそれに対応する制御データに応じてスイッチ回路３５を開放又は閉成させる。より詳細には、スイッチ制御部４１２は、制御データが雷サージ回路２０の切離しを示す場合にはスイッチ回路３５を開放し、制御データが雷サージ回路２０の接地を示す場合にはスイッチ回路３５を閉成する。スイッチ制御部４１２は、制御データの処理部、及び処理部の出力に応じてスイッチ回路３５を駆動する駆動部を有し、処理部は照明制御部４０３とともにＣＰＵの一部であればよい。
【００５９】
第１及び第２の実施形態と同様に、照明制御装置１Ｃの出荷前の耐電圧試験及び絶縁抵抗試験においては、スイッチ回路３５が開放されて雷サージ回路２０が接地端１０から切り離される。その後、照明制御装置１Ｃの設置時等に、親機５の操作によってスイッチ回路３５が閉成されて雷サージ回路２０が接地端１０に接続される。したがって、照明制御装置１Ｃは、耐電圧試験及び絶縁抵抗試験を合格することができるとともに、照明器具２に接続された使用時において電力配線Ｌ１又はＬ２に発生し得る雷サージ電流を適切に接地端１０及びアース配線Ｅ１に誘導することができる。
【００６０】
以上のように、照明制御装置１Ｃにおいても、照明制御装置１Ａ及び１Ｂと同様に雷サージ回路２０を照明器具２（特に既存の照明器具２）の雷サージ回路１２０よりも先に作動させることができ、かつ耐電圧試験及び絶縁抵抗試験を合格させることができる。そして、上記のように適切な雷サージ対策がなされ、かつ耐電圧試験及び絶縁抵抗試験を合格できる照明制御装置１Ｃを用いることによって信頼性の高い屋外灯３が実現される。特に、照明制御装置１Ｃの制御回路４２では、スイッチ制御部４１２が、通信部４０１で受信された外部制御信号Ｓ０がスイッチ回路３５の開閉を示す信号である場合に外部制御信号Ｓ０に応じてスイッチ回路３５を開放又は閉成させる。このように、スイッチ回路３５の開閉を照明制御用の信号と同じ形式の外部制御信号Ｓ０で制御可能としたことにより、簡素な通信構成の照明制御装置が実現される。
【００６１】
＜第４の実施形態＞
上記第２及び３の実施形態では、スイッチ回路３５がリモコン７又は親機５からの信号によって制御される構成を示したが、本実施形態では、スイッチ回路３５が入力電源電圧のオンオフのタイミングによって開閉されるソフトウェアスイッチが採用される場合の構成を示す。
【００６２】
図５に、本実施形態の照明制御装置１Ｄ及び照明器具２の詳細を示す。照明制御装置１Ｄと照明制御装置１Ｂ又は１Ｃとは、スイッチ回路３５を動作させるための構成が異なり、他の構成は同様である。照明制御装置１Ｄは、接地端１０、雷サージ回路２０、スイッチ回路３５、制御回路４３及びリレー回路５０を備える。雷サージ回路２０及び１２０の設定（アレスタ２３及び１２３の放電開始電圧）は第１の実施形態と同様であればよい。
【００６３】
なお、本実施形態における電源４は、出荷前に工場内において照明制御装置１Ｄが接続され得るもの（例えば、安定化電源装置等）であってもよいし、屋外灯３の設置に際して照明制御装置１Ｄが接続されるもの（例えば、商用電源等）であってもよい。後者の場合（商用電源等の場合）には、入力電源電圧のオン／オフは、電力配線Ｌ１及びＬ２上に接続されたブレーカ８の操作によって行われる。前者の場合（安定化電源装置等の場合）には、入力電源電圧のオン／オフは電源４のオン／オフによって行われてもよいし、（接続される場合には）ブレーカ８の操作によって行われてもよい。
【００６４】
制御回路４３は、通信部４０１、監視計測部４０２、照明制御部４０３、信号出力部４０４、記憶部４０５、スイッチ制御部４１２、入力電圧検出部４３１及びタイミング特定部４３２を含み、これらは図示又は不図示のバスによって相互に信号及びデータのやりとりが可能な態様で接続される。制御回路４３は、電力配線Ｌ１及びＬ２と電力配線Ｌ３及びＬ４との間に接続され、照明器具２を監視及び制御する。また、制御回路４３の制御電源は、電力配線Ｌ１及びＬ２に接続された不図示の定電圧回路又は不図示のバッテリ等から適宜給電されるものとする。
【００６５】
入力電圧検出部４３１は、電力配線Ｌ１及びＬ２の電圧を検出し、電源４からの入力電圧の有無、すなわち入力電圧の発生及び消滅を検出する。入力電圧検出部４３１は、検出信号Ｓ４をタイミング特定部４３２に入力する。例えば、入力電圧が検出される場合にはハイ出力の検出信号Ｓ４が生成され、入力電圧が検出されない場合にはロー出力の検出信号Ｓ４が生成されてもよいし、その逆の論理が適用されてもよい。
【００６６】
タイミング特定部４３２は、入力される検出信号Ｓ４の論理反転のタイミングが記憶部４０５に記憶された所定のパターンに合致する場合に、スイッチ回路３５を開閉するための開閉指令をスイッチ制御部４１２に出力する。タイミング特定部４３２は、照明制御部４０３とともにＣＰＵの一部であればよい。
【００６７】
例えば、検出信号Ｓ４の論理がハイ→ロー→ハイと変化した場合にロー出力の継続期間が所定時間内（例えば、０．５秒以上１秒以下等）であれば、タイミング特定部４３２は上記タイミングが所定パターンに合致するものと判別して開閉指令を出力する。開閉指令は、スイッチ開閉状態を、それが開状態であった場合には閉状態に、閉状態であった場合には開状態に反転させる指令であればよい。あるいは、タイミング特定部４３２は、検出信号Ｓ４の論理反転のタイミングが第１のパターンに合致する場合に、それまでのスイッチ開閉状態にかかわらずスイッチ回路３５が閉状態となるように開閉指令（閉指令）を出力するようにしてもよい。同様に、タイミング特定部４３２は、検出信号Ｓ４の論理反転のタイミングが（第１のパターンとは異なる）第２のパターンに合致する場合に、それまでのスイッチ開閉状態にかかわらずスイッチ回路３５が開状態となるように開閉指令（開指令）を出力するようにしてもよい。なお、上記所定時間において入力電圧がオフとなる間も制御回路４０の制御電源は維持されるものとする。
【００６８】
スイッチ制御部４１２は、タイミング特定部４３２からの開閉指令を受けて、スイッチ回路３５を開放又は閉成する。なお、スイッチ制御部４１２は、タイミング特定部４３２の開閉指令を処理する処理部、及び処理部の出力に応じてスイッチ回路３５を駆動する駆動部を有し、処理部は照明制御部４０３とともにＣＰＵの一部であればよい。
【００６９】
第１乃至第３の実施形態と同様に、照明制御装置１Ｄの出荷前の耐電圧試験及び絶縁抵抗試験においては、スイッチ回路３５が開放されて雷サージ回路２０が接地端１０から切り離される。その後、照明制御装置１Ｄの出荷時（出荷前）に接続された電源４の所定オンオフ操作によって、又は照明制御装置１Ｄの設置時に接続されたブレーカ８の所定操作によってスイッチ回路３５が閉成されて雷サージ回路２０が接地端１０に接続される。したがって、照明制御装置１Ｄは、耐電圧試験及び絶縁抵抗試験を合格することができるとともに、照明器具２に接続された使用時において電力配線Ｌ１又はＬ２に発生し得る雷サージ電流を適切に接地端１０及びアース配線Ｅ１に誘導することができる。
【００７０】
以上のように、照明制御装置１Ｄにおいても、照明制御装置１Ａ乃至１Ｃと同様に、雷サージ回路２０を照明器具２（特に既存の照明器具２）の雷サージ回路１２０よりも先に作動させることができ、かつ耐電圧試験及び絶縁抵抗試験を合格させることができる。そして、上記のように適切な雷サージ対策がなされ、かつ耐電圧試験及び絶縁抵抗試験を合格できる照明制御装置１Ｄを用いることによって信頼性の高い屋外灯３が実現される。特に、照明制御装置１Ｄの制御回路４３では、入力電圧検出部４３１が電力配線Ｌ１及びＬ２からの入力電圧を検出し、タイミング判定部４３２は検出入力電圧の発生及び消滅のタイミングが所定のパターンに合致する場合に開閉指令を出力し、スイッチ制御部４１２が開閉指令に応じてスイッチ回路３５を開放又は閉成させる。このように、電源４からの入力電圧のオン／オフのタイミングによってスイッチ回路３５を開閉可能としたことによって新たな通信構成を追加することなく本発明が適用可能となり、照明制御装置の導入容易性が高まる。
【００７１】
＜変形例＞
以上に本発明の好適な実施形態を示したが、本発明は、例えば以下に示すように種々の態様に変形可能である。
【００７２】
（１）電源４に関する変形
上記各実施形態では、電源４が交流電源である構成を示したが、電源４は直流電源であってもよい。また、常用の電源４として商用電源が照明制御装置１に接続され、商用電源の停電時にバックアップ用の電源４としてバッテリ等の直流電源が照明制御装置１に接続される構成としてもよい。また、上記各実施形態では、電源４が商用電源である構成を示したが、電源４は構内電源又は自家発電による電源であってもよい。
【００７３】
（２）スイッチ回路３０又は３５の接続位置の変形
上記各実施形態では、スイッチ回路３０又は３５が接地端１０と雷サージ回路２０（アレスタ２３）との間に接続される構成を示したが、スイッチ回路３０又は３５が雷サージ回路２０内に接続される構成としてもよい。すなわち、図６に示すように、バリスタ２１及び２２の接続点とアレスタ２３との間にスイッチ回路３０又は３５が接続され、アレスタ２３が接地端１０に接続される構成としてもよい。
【００７４】
（３）サージ回路３０の変形
上記各実施形態では、雷サージ回路２０において、バリスタ２１及び２２の接続点とスイッチ回路３０又は３５との間にアレスタ２３が接続される構成を示したが、バリスタ２１及び２２が適切に設定されることを条件に、アレスタ２３は省略されてもよい。すなわち、図７に示すように、バリスタ２１及び２２の接続点と接地端１０との間にスイッチ回路３０又は３５が直接接続されてもよい。
【００７５】
（４）制御回路４０の変形
上記各実施形態では、制御回路４０が監視計測部４０２及び照明制御部４０３によって照明器具２を監視及び制御する構成を示した。一方、監視計測部４０２がない構成（すなわち、照明器具２の制御を行うが監視を行わない構成）又は照明制御部４０３がない構成（すなわち、照明器具２の監視を行うが制御を行わない構成）にも本発明は適用可能である。
【符号の説明】
【００７６】
１Ａ、１Ｂ、１Ｃ、１Ｄ  照明制御装置
２  照明器具
３  屋外灯
４  電源
１０  接地端
２０  雷サージ回路
３０、３５  スイッチ回路
４０、４１、４２、４３  制御回路
４０１  通信部
４０２  監視計測部
４０３  照明制御部
４０４  信号出力部
４０５  記憶部
４１１  リモコン受信部
４１２  スイッチ制御部
４３１  入力電圧検出部
４３２  タイミング特定部
Ｌ１、Ｌ２  入力電力配線
Ｌ３、Ｌ４  出力電力配線
【図１】
0006589377.tif 000002
【図２】
0006589377.tif 000003
【図３】
0006589377.tif 000004
【図４】
0006589377.tif 000005
【図５】
0006589377.tif 000006
【図６】
0006589377.tif 000007
【図７】
0006589377.tif 000008